(57)【要約】【課題】予め規定された付帯情報を持つ特定情報の表示状態が不用意に変化することをなくす。【解決手段】制御回路２は、予め規定された様式の付帯情報を持つ特定情報を液晶表示器８に表示しているとき、前記特定情報の表示開始から所定時間が経過するまで又は前記特定情報の表示開始から所定操作がなされるまでまたは表示開始から所定時間経過後所定操作がなされるまで、前記特定情報の表示状態の変更を禁止する。【選択図】　図１
2004126272.tif 000002
【特許請求の範囲】
【請求項１】
表示手段と表示制御手段とを備えた情報処理装置において、
前記表示制御手段は、予め規定された様式の付帯情報を持つ特定情報を前記表示手段に表示しているとき、前記特定情報の表示開始から所定時間が経過するまで又は前記特定情報の表示開始から所定操作がなされるまでまたは表示開始から所定時間経過後所定操作がなされるまで、前記特定情報の表示状態の変更を禁止することを特徴とする情報処理装置。
【請求項２】
外部からの入力手段を備え、
前記表示制御手段は特定情報を表示するときには前記入力手段により予め設定された表示状態で表示することを特徴とする請求項１記載の情報処理装置。
【請求項３】
入力手段により、特定情報の表示状態の変更禁止が解除されたときの表示状態が設定され、前記表示制御手段は、前記所定時間経過又は所定操作により特定情報の表示状態の変更禁止が解除されたとき前記入力手段にて予め設定された表示状態を表示することを特徴とする請求項２記載の情報処理装置。
【請求項４】
前記所定操作には、イベントが発生したことの表示を要求する情報表示コマンドの発生を含むことを特徴とする請求項３記載の情報処理装置。
【請求項５】
前記特定情報には、予め情報処理装置内に記憶された情報及び前記入力手段から入力された情報を含むことを特徴とする請求項２ないし４のいずれかに記載の情報処理装置。
【請求項６】
前記特定情報は、バーコード又は二次元コードを含む情報であることを特徴とする請求項１ないし５のいずれかに記載の情報処理装置。
【請求項７】
前記入力手段には、キースイッチ群、通信手段及び記憶装置を含むことを特徴とする請求項２記載の情報処理装置。
【請求項８】
前記情報表示コマンドには前記入力手段からの入力を含むことを特徴とする請求項４記載の情報処理装置。
【発明の詳細な説明】
【０００１】
【発明の属する技術分野】
本発明は、携帯電話機などの、表示手段及び表示制御手段を備えた情報処理装置に関する。
【０００２】
【従来の技術】
情報処理装置例えば携帯電話機の液晶表示器に情報を表示する場合、液晶表示器にバックライトを点灯させて画面の視認性を良くするようにしているが、省電力制御機能により予め設定されている時間でバックライトが消灯する。また、メールなどが着信すると表示画面に着信したことを通知するメッセージが現在の表示状態に割り込んで表示される。
【０００３】
【発明が解決しようとする課題】
近年、コンサートチケットを実際に購入することに代わり、インターネットのチケット販売サーバーから二次元コードを含む情報を携帯電話機にダウンロードし、コンサート会場の入場に当たっては、携帯電話機の液晶表示器に、前記二次元コードを表示し、この二次元コードを認証するシステムがある。
この場合、二次元コード表示状態で、不用意に表示状態が変化すると上述の認証に失敗するおそれがある。なお、携帯電話機とパソコンとの間で、バーコード表示により情報伝送をするシステムとして特開平１３−２２２４８３号公報があるが、バーコードなどの情報の表示状態についての問題意識（解決すべき技術課題）は記載されていない。
【０００４】
本発明は上記事情に鑑みてなされたものであり、その目的は、予め規定された付帯情報を持つ特定情報の表示状態が不用意に変化することがなくて特定情報の認識失敗をなくすことが可能となる情報処理装置を提供するにある。
【０００５】
【課題を解決するための手段】
請求項１の情報処理装置は、表示制御手段が、予め規定された様式の付帯情報を持つ特定情報を表示手段に表示しているとき、前記特定情報の表示開始から所定時間が経過するまで又は前記特定情報の表示開始から所定操作がなされるまでまたは表示開始から所定時間経過後所定操作がなされるまで、前記特定情報の表示状態の変更を禁止するようになっていることを特徴とする。
【０００６】
これによれば、特定情報の表示状態は、上記所定時間が経過するまで、又は上記所定操作がなされるまで、または表示開始から所定時間経過後所定操作がなされるまで、維持されるから、特定情報表示状態が不用意に変化することがなく、特定情報の認証失敗がなくなる。また、上記所定時間が経過、又所定操作がなされれば、特定情報表示状態の変化が許容されるから、所定時間が経過すれば無意味に特定情報表示状態が持続することがなく、または、所定操作により優先したい表示事項を表示することが可能となる。
【０００７】
この場合、請求項２の発明のように、表示制御手段は、特定情報を表示するときには入力手段により予め設定された表示状態で表示するようにしても良く、このようにすれば、特定情報表示状態を好みの状態あるいは適正状態に表示することができる。
【０００８】
この場合、請求項３の発明のように、入力手段により、特定情報の表示状態の変更禁止が解除されたときの表示状態が設定され、前記表示制御手段は、前記所定時間経過又は所定操作により特定情報の表示状態の変更禁止が解除されたとき前記入力手段にて予め設定された表示状態を表示するようにしても良い。このようにすると、特定情報表示変更禁止の解除があったときに、好みの、あるいは最適の表示状態とできる。
【０００９】
また、請求項４のように、前記所定操作には、イベントが発生したことの表示を要求する情報表示コマンドの発生を含んでも良い。このようにすると、前記情報表示コマンドが発生したときに特定情報表示状態の変更禁止が解除され、イベント発生表示を優先するときに便利である。
【００１０】
さらに、請求項５のように、前記特定情報には、予め情報処理装置内に記憶された情報及び前記入力手段から入力された情報を含んでも良い。また、請求項６のように、前記特定情報は、バーコード又は二次元コードを含む情報であっても良い。また、請求項７のように、前記入力手段には、キースイッチ群、通信手段及び記憶装置を含んでも良く、請求項８のように、前記情報表示コマンドには前記入力手段からの入力を含んでも良い。
【００１１】
【発明の実施の形態】
以下、本発明を携帯電話機に適用した一実施例につき図面を参照して説明する。図１は情報処理装置としての携帯電話機の電気的構成のブロック図である。同図に示すように、この携帯電話機１は、制御手段及び表示制御手段としての制御回路２を備え、この携帯電話網の基地局を介する電話通信処理を行う電話通信部３、マイクロフォン４が入力した送話音声及びスピーカ５が出力する受話音声の処理（符号化処理、複合化処理など）を行う音声処理部６、通話を開始するための「通話開始」キースイッチや通話を終了するための「通話終了」キースイッチ或いは電話番号などを入力するための「数字」キースイッチなどの多数のキースイッチ群７（入力手段）、発信者電話番号やメール着信メッセージや、後述する特定情報を表示する表示手段たる液晶表示器８などを接続している。この液晶表示器８は、バックライトを有しており、そのバックライトは制御回路２により点灯及び消灯されるものであり、通常は、予め設定された時間入力がないときには消灯されるようになっている。上記制御回路２は携帯電話機１の全体を統括制御するもので、マイクロコンピュータシステムによって構成され、ＣＰＵ、ＲＯＭ、ＲＡＭ、Ｉ／Ｏを備えている。
【００１２】
図２は携帯電話機１の外観を示す正面図である。同図に示すように、携帯電話機１は、本体部９にマイクロフォン４、スピーカ５、キースイッチ群７、液晶表示器８が設けられている。
【００１３】
この携帯電話機１では、携帯電話回線網を介してインターネット回線網に接続可能であり、コンサートなどのチケット販売サーバーと通信してチケットに代わる予め規定された様式の付帯情報を持つ特定情報をダウンロードすることが可能となっている。
【００１４】
この特定情報のダウンロード時の通信フレームは、図３に示すように、ヘッダと、付帯情報としての二次元コード（ＱＲコード）画像データと、属性データとから構成されており、属性データとしては、文字メッセージ情報、初期設置値として表示状態変化禁止有無のうち「有」を設定したデータ「１」、表示最適化データなどが含まれている。
【００１５】
この特定情報はキースイッチ群７の特定操作があったとき、制御回路２により液晶表示器８に表示されるものであり、その表示例を図２に示している。この場合、二次コードＨａと文字メッセージＨｂ、Ｈｃとが表示されており、そして、この表示画面は表示最適化データに従って最適化がなされている。この最適化には、次のことが含まれている。
【００１６】
（１）コントラストを最大にする
（２）電池、電波、時計などの表示状態を消去
（３）バックライトを最大にする
（４）背景白色、コードを黒色とする。
【００１７】
図４には、所定のキースイッチ操作により、表示状態変化禁止について、その解除方法の設定の表示画面が示されている。「時間／操作」表示部のうち「時間」表示部分にカーソルを合わせて特定キースイッチを押すと、解除条件として「時間」が設定され、そして、「時間設定」の時間表示部分にカーソルを合わせてキースイッチにより時間設定をすると、その設定時間が表示変化禁止解除の所定時間として設定される。
【００１８】
また、「時間／操作」表示部のうち「操作」表示部分にカーソルを合わせて特定キースイッチを押すと、解除条件として「パワースイッチの操作」が、表示変化禁止解除の所定操作として設定される。この場合、所定時間と所定操作の二つとも解除条件として設定可能である。また所定時間経過後における所定操作も解除条件として設定可能となっている。
【００１９】
この後、変更禁止時で表示許可設定の案内画面（図５参照）に切替えられて、メール着信表示について「許可」及び「禁止」のいずれかの設定、通話着信表示について「許可」及び「禁止」のいずれかの設定がなされる。ここで、メール着信表示について「許可」が設定されると、また、通話着信表示について「許可」が設定されると、メール着信、通話着信があったとき（イベントが発生したとき）これらの表示を要求する情報表示コマンド（メール着信表示指令、通話着信表示指令）を発生する。この情報表示コマンドは前記特定操作があったことに含まれており、特定情報表示状態変化禁止の解除条件となる。「所定時間」の設定の後、上記「パワースイッチの操作」もしくは上記「メール着信表示」または「通話着信表示」を設定すると（追加条件とすると）、「所定時間経過後における所定操作」の解除条件となる。
【００２０】
また、別のキースイッチ操作により、特定情報表示状態変化禁止が解除されたときの表示画面の設定がなされるようになっており、これには、携帯電話機に初期設定された待ち受け画面や、ユーザーが指定した表示画面を設定できるようになっている。
【００２１】
さて、上述の特定情報がダウンロードされた後、この特定情報をコンサート会場入場に際して表示する場合には、適宜のキースイッチ操作を行なう。すると、図６に示すフローチャートのように、特定情報の表示制御を実行する。ステップＳ１では、特定情報を液晶表示器８に表示する。この表示形態は、例えば前述の図２と同じとしている。すなわち、二次コードＨａと文字メッセージＨｂ、Ｈｃを表示する。このとき、前記（１）〜（４）で述べた事項で最適化された表示状態とされる。従って、バックライトは点灯したままにある。
【００２２】
また、上記文字メッセージＨｂは例えば「コンサートチケットに代わる表示コードです」なる文字メッセージで、また、文字メッセージＨｃは、解除条件が例えば「３０秒経過」のときには「３０秒間はこの表示はキープされます」なる文字メッセージで、またこの文字メッセージＨｃは、解除条件が所定操作であるときには、「パワースイッチ操作があるまでこの表示はキープされます」なる文字メッセージである。
【００２３】
このステップＳ１の後、ステップＳ２に移行して、特定情報に表示変化禁止設定が「有」か（データが「１」か）否かを判断し、表示変化禁止「有」が予め設定されているときにはステップＳ３に移行して、表示変化禁止モードに設定する。この表示変化禁止モードとは、設定された前記解除条件以外では、表示状態の変化を禁止するモードである。
【００２４】
次のステップＳ４では、解除条件が「所定時間経過」であるか「所定操作」であるか「所定時間経過後で所定操作」であるかを判断する。例えば解除条件に「所定時間経過」が含まれていれば、ステップＳ５に移行して「追加条件（所定操作）」が有ったか否かを判断し、追加条件がなければ、ステップＳ６に移行して、ソフトタイマーのタイムカウントを開始し、ステップＳ７では、設定された所定時間をカウントアップしたか否かを判断し、カウントアップ（所定時間経過）すれば、ステップＳ８に移行して、表示変化禁止モードの設定を解除する。そしてステップＳ９に移行して、ユーザーが設定した前記特定情報表示状態変更禁止の解除時の表示画面を表示する。
【００２５】
前記ステップＳ４において、解除条件が「所定操作」であるとき（「所定時間解除」を含まないとき）には、ステップＳ１０に移行して、予め決められた所定操作があったか否かを判断し、所定操作があれば、ステップＳ８、ステップＳ９に移行する。
【００２６】
ここで、上記「所定操作」には、既述したように、メール着信、通話着信があったとき（イベントが発生したとき）の、これらの表示を要求する情報表示コマンド（メール着信表示指令、通話着信表示指令）も含まれるものである。
【００２７】
また、前述のステップＳ５において、追加条件有りが判断されると、ステップＳ１１に移行して、ソフトタイマーのタイムカウントを開始し、ステップＳ１２では、設定された所定時間をカウントアップしたか否かを判断し、カウントアップ（所定時間経過）すれば、ステップＳ１３に移行して、所定操作が有ったか否かを判断する。所定操作があると、ステップＳ８、ステップＳ９に移行する。
【００２８】
ここで、上記「所定操作」には、既述したように、メール着信、通話着信があったとき（イベントが発生したとき）の、これらの表示を要求する情報表示コマンド（メール着信表示指令、通話着信表示指令）も含まれるものである。
【００２９】
前記ステップＳ２において、特定情報に表示変化禁止「有」が予め設定されていないときにはステップＳ３〜ステップＳ１３は実行しない。つまり、表示状態を変更するについて制約がなく、例えば外部入力があれば、それに応じた表示が実行されることになる。
【００３０】
このように本実施例によれば、特定情報の表示状態は、所定時間が経過するまで、又は所定操作がなされるまで、または表示開始から所定時間経過後所定操作がなされるまで、維持されるから、特定情報表示状態が不用意に変化することがなく、特定情報の認証失敗がなくなる。また、所定時間が経過、又所定操作がなされれば、特定情報表示状態の変化が許容されるから、所定時間が経過すれば無意味に特定情報表示状態が持続することがなく、または、所定操作により優先表示事項を表示することが可能となる。
【００３１】
また、本実施例によれば、表示制御手段たる制御回路２が、特定情報を表示するときには入力手段である通信手段（インターネット通信網、電話通信部３）により予め設定された表示状態（最適化データによる表示状態）で表示するから、特定情報表示状態を好みの状態あるいは適正状態に表示することができる。
【００３２】
さらにまた、本実施例によれば、入力手段の一つであるキースイッチ群７により、特定情報の表示状態の変更禁止が解除されたときの表示状態を設定するようにし、制御回路２が、前記所定時間経過又は所定操作により特定情報の表示状態の変更禁止が解除されたとき前記予め設定された表示状態を表示するようにしているから、特定情報表示の変更禁止解除があったときに好みの、あるいは最適の表示状態とできる。
【００３３】
また、本実施例によれば、前記所定操作には、イベントが発生したことの表示を要求する情報表示コマンドの発生を含んでいるから、前記情報表示コマンドが発生したときに特定情報表示状態の変更禁止が解除され、イベント発生表示を優先するときに便利である。
【００３４】
なお、前記特定情報には、予め、ダウンロードされた情報以外に制御回路２内に記憶された情報を含んでも良い。また二次元コードでなくバーコードでも良い。さらにまた、入力手段として、キースイッチ群７、インターネット通信網及び電話通信部３を例示したが、外部メモリなどの記憶装置を含んでも良い。また、「所定操作」に含まれる情報表示コマンドとしては、メール着信表示指令、通話着信表示指令の他に、メール着信確認や通話着信確認のための入力であっても良い。さらに、最適化データは携帯電話機１側で設定もしくは変更するようにしても良い。また、本発明は携帯電話機に限られず、ＰＤＡ（ｐｅｒｓｏｎａｌ　ｄｉｇｉｔａｌ　ａｓｓｉｓｔａｎｔｓ）などでも良い。
【図面の簡単な説明】
【図１】本発明の一実施例を示す電気的構成のブロック図
【図２】携帯電話機の正面図
【図３】通信フレームを示す図
【図４】特定情報表示状態変更禁止の解除条件を設定する表示画面の図
【図５】特定情報表示状態変更禁止時での表示許可設定の案内画面の図
【図６】特定情報表示に関連する制御内容のフローチャート
【符号の説明】
１は携帯電話機（情報処理装置）、２は制御回路（表示制御手段）、７はキースイッチ群（入力手段）、８は液晶表示器（表示手段）を示す。
【図１】
2004126272.tif 000003
【図２】
2004126272.tif 000004
【図３】
2004126272.tif 000005
【図４】
2004126272.tif 000006
【図５】
2004126272.tif 000007
【図６】
2004126272.tif 000008